(57)【要約】    【課題】  極めて薄い場合の臭化リチウム濃度についても、リアルタイムで臭化リチウム濃度を把握することができる測定方法を提供すること。    【解決手段】  臭化リチウム水溶液の臭化リチウム濃度測定方法は、温度計と静電容量計の各検出端を測定対象の臭化リチウム水溶液中にセットする測定端セット過程Ｐ１と、ついで、臭化リチウム水溶液の温度を温度計により測定する温度測定過程Ｐ２と、並行して臭化リチウム水溶液の静電容量を静電容量計により測定する静電容量測定過程Ｐ３と、各過程Ｐ２、Ｐ３により得られた測定温度値および静電容量値から水溶液中の臭化リチウム濃度を求める濃度測定過程Ｐ４と、を備えて構成される。【選択図】  図２
2006258345.tif 000002
【特許請求の範囲】
【請求項１】
臭化リチウム水溶液の温度を温度計により測定する温度測定過程と、臭化リチウム水溶液の静電容量を静電容量計により測定する静電容量測定過程と、該温度測定過程から得られた温度ならびに該静電容量測定過程から得られた静電容量値から水溶液中の臭化リチウム濃度を求める濃度測定過程と、からなることを特徴とする、臭化リチウム水溶液の臭化リチウム濃度測定方法。
【請求項２】
前記濃度測定過程は、濃度―温度―静電容量間の関係すなわち濃度―温度―静電容量特性に基づいて、先行する各過程において得られた温度情報および静電容量情報を用いて、濃度情報を得るものであることを特徴とする、請求項１に記載の臭化リチウム水溶液の臭化リチウム濃度測定方法。
【請求項３】
臭化リチウム水溶液が吸収冷凍機の冷媒であることを特徴とする、請求項１または２に記載の臭化リチウム水溶液の臭化リチウム濃度測定方法。
【請求項４】
冷媒が濃縮器の凝縮器から出てきた冷媒であることを特徴とする、請求項３に記載の臭化リチウム水溶液の臭化リチウム濃度測定方法。
【請求項５】
冷媒が少なくとも二成分系以上であることを特徴とする、請求項３または４に記載の臭化リチウム水溶液の臭化リチウム濃度測定方法。
【請求項６】
臭化リチウム水溶液の温度を温度計により測定する温度測定部と、臭化リチウム水溶液の静電容量を静電容量計により測定する静電容量測定部と、該温度測定部から得られた温度、ならびに該静電容量測定部から得られた静電容量値から、濃度―温度―静電容量間の関係すなわち濃度―温度―静電容量特性に基づいて、水溶液中の臭化リチウム濃度を求める濃度測定部と、該濃度測定部において得られた濃度が出力される出力部と、からなることを特徴とする、臭化リチウム水溶液の臭化リチウム濃度測定システム。
【請求項７】
臭化リチウムの温度を温度計により測定する温度測定過程、臭化リチウム水溶液のｐＨをｐＨ計により測定するｐＨ測定過程と、臭化リチウム水溶液の静電容量を静電容量計により測定する静電容量測定過程と、該温度測定過程から得られた温度、該ｐＨ測定過程から得られたｐＨ値ならびに該静電容量測定過程から得られた静電容量値から水溶液中の臭化リチウム濃度を求める濃度測定過程と、からなることを特徴とする、臭化リチウム水溶液の臭化リチウム濃度測定方法。
【請求項８】
前記濃度測定過程は、濃度―温度―ｐＨ間の関係すなわち濃度―温度―ｐＨ特性に基づき先行する各過程で得られた温度情報ならびにｐＨ情報を用いることによって、および、濃度―温度―静電容量間の関係すなわち濃度―温度―静電容量特性に基づき先行する各過程で得られた温度情報および静電容量情報を用いることによって、濃度情報を得るものであることを特徴とする、請求項７に記載の臭化リチウム水溶液の臭化リチウム濃度測定方法。
【請求項９】
臭化リチウム水溶液が少なくとも吸収冷凍機の吸収液および冷媒であることを特徴とする、請求項７または８に記載の臭化リチウム水溶液の臭化リチウム濃度測定方法。
【請求項１０】
吸収液が濃縮器の再生器から出てきた吸収液であることを特徴とする、請求項９に記載の臭化リチウム水溶液の臭化リチウム濃度測定方法。
【請求項１１】
冷媒が濃縮器の凝縮器から出てきた冷媒であることを特徴とする、請求項９に記載の臭化リチウム水溶液の臭化リチウム濃度測定方法。
【請求項１２】
冷媒が少なくとも二成分系以上であることを特徴とする、請求項９または１１に記載の臭化リチウム水溶液の臭化リチウム濃度測定方法。
【請求項１３】
冷媒の臭化リチウム濃度については、濃度―温度―静電容量特性に基づき先行する各過程で得られる温度情報および静電容量情報を用いることによって、また、吸収液の臭化リチウム濃度については、濃度―温度―ｐＨ特性に基づき先行する各過程において得られる温度情報およびｐＨ情報を用いることによって、それぞれの濃度情報を得るものであることを特徴とする、請求項９に記載の臭化リチウム水溶液の臭化リチウム濃度測定方法。
【請求項１４】
臭化リチウム水溶液の温度を温度計より測定する温度測定部と、臭化リチウム水溶液のｐＨをｐＨ計により測定するｐＨ測定部と、臭化リチウム水溶液の静電容量を静電容量計により測定する静電容量測定部と、該温度測定部から得られた温度、ならびに該ｐＨ測定部から得られたｐＨ値から、濃度―温度―ｐＨ間の関係すなわち濃度―温度―ｐＨ特性に基づいて、水溶液中の臭化リチウム濃度を求める濃度測定部と、該温度測定部から得られた温度、ならびに該静電容量部から得られた静電容量から、濃度―温度―静電容量間の関係すなわち濃度―温度―静電容量特性に基づいて、水溶液中の臭化リチウム濃度を求める濃度測定部と、該濃度測定部において得られた濃度が出力される出力部と、からなることを特徴とする、臭化リチウム水溶液の臭化リチウム濃度測定システム。
【請求項１５】
臭化リチウム水溶液の温度を温度計により測定する温度測定過程と、臭化リチウム水溶液の静電容量を静電容量計により測定する静電容量測定過程と、該温度測定過程から得られた温度ならびに該静電容量測定過程から得られた静電容量値から水溶液中の臭化リチウム濃度を求める濃度測定過程と、該濃度測定過程から得られた濃度を時間的に比較する濃度比較過程からなることを特徴とする、臭化リチウムの漏れ検出方法。
【請求項１６】
臭化リチウム水溶液の温度を温度計により測定する温度測定過程と、臭化リチウム水溶液のｐＨをｐＨ計により測定するｐＨ測定過程と、該温度測定過程から得られた温度ならびに該ｐＨ測定過程から得られたｐＨから水溶液中の臭化リチウム濃度を求める濃度測定過程と、該濃度測定過程から得られた濃度を時間的に比較する濃度比較過程からなることを特徴とする、臭化リチウムの漏れ検出方法。
【請求項１７】
臭化リチウム水溶液が吸収冷凍機の冷媒であることを特徴とする、請求項１５または１６に記載の臭化リチウムの漏れ検出方法。
【発明の詳細な説明】
【技術分野】
【０００１】
本発明は臭化リチウム水溶液の臭化リチウム濃度測定方法および臭化リチウム濃度測定システムに係り、特に、吸収冷凍機等大気圧以外の圧力系で作動する系に好適な、臭化リチウム水溶液の臭化リチウム濃度測定方法および臭化リチウム濃度測定システムに関する。
【背景技術】
【０００２】
従来の吸収冷凍機に一般的に用いられている作動媒体は、臭化リチウム―水系であり、冷媒が水、吸収液が臭化リチウム水溶液である。（後掲非特許文献１）。従来、臭化リチウム―水系の作動媒体を用いる吸収冷凍機は濃縮器を形成する再生器と凝縮器、および希釈器を形成する蒸発器と吸収器から構成されており、すべての機器において主要な構成は熱交換器である。用いられる冷媒が水であるため、通常仕様の冷水出口温度７℃を得るためには、希釈器内の蒸発器における冷媒（水）の温度は通常４℃に設定されている。この、７℃と４℃との温度差を熱交換終端温度差と称し、以降、当該熱交換終端温度差をＴＴＤと記す。当該例ではＴＴＤは７−４＝３Ｋである。蒸発器と吸収器を内蔵している希釈器の操作圧力は、４℃の水の飽和圧力である６．１ｍｍＨｇ（８１３Ｐａ）と負圧の状態である。
【０００３】
一方、標準仕様の冷水塔により得られる夏季の冷却水温度は３１℃であり、かつ前記吸収器の出口の冷却水の温度は３６℃である。吸収器におけるＴＴＤは通常５Ｋであるから、前述した圧力６．１ｍｍＨｇの制約条件下では、吸収溶液である臭化リチウム水溶液の温度は４１℃（＝３６＋５）となり、希釈後の濃度は５８ｗｔ％となる。
【０００４】
また、吸収器において熱交換し昇温された冷却水は、３６℃の温度で凝縮器に導入され、４０℃で排出される。従って、ＴＴＤを４Ｋとすると、凝縮器の温度は４４℃（＝４０＋４）となり、当該凝縮器を内蔵している濃縮器の操作圧力は、冷媒である水の４４℃における飽和圧力７０ｍｍＨｇ（９．３３ｋＰａ）となる。したがって、再生器における操作は、当該条件と吸収溶液の温度、飽和蒸気圧、濃度の特性（以降、当該特性をＴ−Ｐ−Ｃ特性と記す。）および、標準仕様の定格操作における吸収溶液の濃度差５ｗｔ％とすると、冷媒含有量の少ない溶液（濃溶液）の濃度は６３ｗｔ％（＝５８＋５）である。
【０００５】
吸収冷凍機の外部との接点は温度であるが、冷凍機内の冷媒や溶液の移動は圧力差により起こる。この温度と圧力との変換は、冷媒と溶液の臭化リチウムの濃度により、その濃度における飽和温度と飽和圧力の関係から実現する。このように、吸収冷凍機における溶液の濃度は、冷凍機の作動状態を支配する最重要物理量であり、冷凍機運転を制御するために、それを測定することは必須である。
【０００６】
【非特許文献１】高田秋一著  吸収冷凍機とヒートポンプ
【発明の開示】
【発明が解決しようとする課題】
【０００７】
さて、吸収冷凍機の運転には、常時、温度、圧力、臭化リチウム濃度を把握し最適化ならびに臭化リチウムの結晶析出を事前に検出し、管路閉塞等のトラブルを防止する必要がある。このため、吸収冷凍機における溶液の濃度測定は従来、
・溶液をサンプリングし、比重と温度を測定して溶液の濃度を求める。
・冷凍機の液相部に外部から超音波を透過させ、その透過量により密度を測定して溶液の濃度を求める。
・気液共存部での温度と蒸気圧を測定して溶液の濃度を求める。
・溶液をサンプリングし、化学分析により溶液の濃度を求める。
等の方法によっていた。
【０００８】
このように、温度および圧力については、大気圧以外の負圧あるいは加圧状態においても、その検出方法が存在する。しかしながら、吸収溶液中の臭化リチウム濃度については系外に液をサンプリングし、サンプル液の比重を比重計を用いて測定することにより、あらかじめ求めた温度、比重、臭化リチウム濃度の特性線図から臭化リチウム濃度を求める。このため、臭化リチウム濃度把握遅れにより最適な運転ができなかったり、結晶析出による管路閉塞等の問題があった。また、比重測定のために必要なサンプル量は約３００ｃｃ／回であり、この溶液の損失も問題であった。
【０００９】
さらに、負圧系からのサンプリングはサンプリング操作のミスにより、所定の負圧をブレークしてしまう恐れもある。つまり、
（ａ）溶液をサンプリングし比重と温度を測定する方法は、運転中の冷凍機から溶液を抜くために、冷凍機に充填された溶液量が減少し、測定が度重なると冷凍機の性能低下を招く。また、真空状態の冷凍機から溶液を抜くために、真空装置が必要になり、しかも人手に頼らざるを得ない。その上測定者には技術が要求される。さらに、測定には時間を要するため、冷凍機の溶液の状を瞬時に測定することはできない。
（ｂ）超音波を測定する方法では、冷凍機内に設けた溶液容器において、容器外の一方に超音波発生装置を、相対する位置に検出装置を設置して、容器内の溶液を透過する超音波量から液密度を測定し溶液の濃度を求める。この装置では、超音波の発生装置、検出装置とも大掛かりであり、冷凍機に複数台装備する場合は価格高になる。さらに、肉厚の金属容器壁を通しての超音波の透過量の変化量感度は小さく、溶液に含まれるごみ類の影響を受ける。
（ｃ）気液共存部での温度と蒸気圧を測定する方法では、定常、非定常時に気液が共存する箇所を設けなければならない．その上、共存部の気液平衡状態の温度と圧力とを同時に測定する必要がある。さらに、溶液濃度と温度、圧力の関係を再現するための精度と感度を必要とする。
（ｄ）サンプリングした溶液を化学分析する方法では、上記（ａ）のサンプリング法の難点があるほか、分析に時間を要するという問題点がある。
（ｅ）加えて、臭化リチウム水溶液からの臭化リチウムの漏れの検出は、吸収冷凍機の正常な運転を維持し、制御する上で重要である。
【００１０】
これらの問題点を解決するため、本願発明者らは先に、臭化リチウム水溶液のｐＨ値が臭化リチム濃度と強い相関があることに着目し、大気圧以外の系にあっても、リアルタイムで臭化リチウム濃度を求めることができる方法等を提案した（特願２００４−０８３５３１参照）。しかしながらこの方法は、たとえば吸収液に用いる臭化リチウムの場合には充分であるが、冷媒に用いる極めて薄い臭化リチウム濃度を求める必要がある場合には、その精度が充分でないことが判明した。すなわち、濃度０近辺では、大気中の微量炭酸ガスが溶液のｐＨに影響を及ぼすため、ｐＨは濃度にしたがって増加する特性となるが、吸収冷凍機内の負圧下では脱炭酸され、そのｐＨ―濃度特性の傾きは小さくなり、ｐＨから濃度を読み取るには不充分となることが分った。
【００１１】
本発明が解決しようとする課題は、上記従来技術の問題点を除き、大気圧以外の系にあっても、リアルタイムで臭化リチウム濃度を把握することができる、臭化リチウム水溶液の臭化リチウム濃度測定方法および臭化リチウム濃度測定システムを提供することである。特に、極めて薄い場合の臭化リチウム濃度についても、リアルタイムで臭化リチウム濃度を把握することができる、臭化リチウム水溶液の臭化リチウム濃度測定方法および臭化リチウム濃度測定システムを提供することである。加えて、吸収冷凍機の正常な運転を維持し、制御するために、臭化リチウム水溶液からの臭化リチウムの漏れを検出する方法を提供することである。
【課題を解決するための手段】
【００１２】
上記の目的を達成するために、本願発明者らが鋭意検討した結果、臭化リチウム濃度が低い濃度域において、臭化リチウム水溶液の静電容量が臭化リチウム濃度と強い相関があることを見出し、臭化リチウム水溶液の静電容量と温度を測定することにより、これらの課題を解決できることに至った。すなわち、本願で特許請求される発明、もしくは少なくとも開示される発明は、以下の通りである。
【００１３】
（１）  臭化リチウム水溶液の温度を温度計により測定する温度測定過程と、臭化リチウム水溶液の静電容量を静電容量計により測定する静電容量測定過程と、該温度測定過程から得られた温度ならびに該静電容量測定過程から得られた静電容量値から水溶液中の臭化リチウム濃度を求める濃度測定過程と、からなることを特徴とする、臭化リチウム水溶液の臭化リチウム濃度測定方法。
（２）  前記濃度測定過程は、濃度―温度―静電容量間の関係すなわち濃度―温度―静電容量特性に基づいて、先行する各過程において得られた温度情報および静電容量情報を用いて、濃度情報を得るものであることを特徴とする、（１）に記載の臭化リチウム水溶液の臭化リチウム濃度測定方法。
（３）  臭化リチウム水溶液が吸収冷凍機の冷媒であることを特徴とする、（１）または（２）に記載の臭化リチウム水溶液の臭化リチウム濃度測定方法。
（４）  冷媒が濃縮器の凝縮器から出てきた冷媒であることを特徴とする、（３）に記載の臭化リチウム水溶液の臭化リチウム濃度測定方法。
（５）  冷媒が少なくとも二成分系以上であることを特徴とする、（３）または（４）に記載の臭化リチウム水溶液の臭化リチウム濃度測定方法。
（６）  臭化リチウム水溶液の温度を温度計により測定する温度測定部と、臭化リチウム水溶液の静電容量を静電容量計により測定する静電容量測定部と、該温度測定部から得られた温度、ならびに該静電容量測定部から得られた静電容量値から、濃度―温度―静電容量間の関係すなわち濃度―温度―静電容量特性に基づいて、水溶液中の臭化リチウム濃度を求める濃度測定部と、該濃度測定部において得られた濃度が出力される出力部と、からなることを特徴とする、臭化リチウム水溶液の臭化リチウム濃度測定システム。
（７）  臭化リチウムの温度を温度計により測定する温度測定過程、臭化リチウム水溶液のｐＨをｐＨ計により測定するｐＨ測定過程と、臭化リチウム水溶液の静電容量を静電容量計により測定する静電容量測定過程と、該温度測定過程から得られた温度、該ｐＨ測定過程から得られたｐＨ値ならびに該静電容量測定過程から得られた静電容量値から水溶液中の臭化リチウム濃度を求める濃度測定過程と、からなることを特徴とする、臭化リチウム水溶液の臭化リチウム濃度測定方法。
【００１４】
（８）  前記濃度測定過程は、濃度―温度―ｐＨ間の関係すなわち濃度―温度―ｐＨ特性に基づき先行する各過程で得られた温度情報ならびにｐＨ情報を用いることによって、および、濃度―温度―静電容量間の関係すなわち濃度―温度―静電容量特性に基づき先行する各過程で得られた温度情報および静電容量情報を用いることによって、濃度情報を得るものであることを特徴とする、（７）に記載の臭化リチウム水溶液の臭化リチウム濃度測定方法。
（９）  臭化リチウム水溶液が少なくとも吸収冷凍機の吸収液および冷媒であることを特徴とする、（７）または（８）に記載の臭化リチウム水溶液の臭化リチウム濃度測定方法。
（１０）  吸収液が濃縮器の再生器から出てきた吸収液であることを特徴とする、（９）に記載の臭化リチウム水溶液の臭化リチウム濃度測定方法。
（１１）  冷媒が濃縮器の凝縮器から出てきた冷媒であることを特徴とする、（９）に記載の臭化リチウム水溶液の臭化リチウム濃度測定方法。
（１２）  冷媒が少なくとも二成分系以上であることを特徴とする、（９）または（１１）に記載の臭化リチウム水溶液の臭化リチウム濃度測定方法。
【００１５】
（１３）  冷媒の臭化リチウム濃度については、濃度―温度―静電容量特性に基づき先行する各過程で得られる温度情報および静電容量情報を用いることによって、また、吸収液の臭化リチウム濃度については、濃度―温度―ｐＨ特性に基づき先行する各過程において得られる温度情報およびｐＨ情報を用いることによって、それぞれの濃度情報を得るものであることを特徴とする、（９）に記載の臭化リチウム水溶液の臭化リチウム濃度測定方法。
（１４）  臭化リチウム水溶液の温度を温度計より測定する温度測定部と、臭化リチウム水溶液のｐＨをｐＨ計により測定するｐＨ測定部と、臭化リチウム水溶液の静電容量を静電容量計により測定する静電容量測定部と、該温度測定部から得られた温度、ならびに該ｐＨ測定部から得られたｐＨ値から、濃度―温度―ｐＨ間の関係すなわち濃度―温度―ｐＨ特性に基づいて、水溶液中の臭化リチウム濃度を求める濃度測定部と、該温度測定部から得られた温度、ならびに該静電容量部から得られた静電容量から、濃度―温度―静電容量間の関係すなわち濃度―温度―静電容量特性に基づいて、水溶液中の臭化リチウム濃度を求める濃度測定部と、該濃度測定部において得られた濃度が出力される出力部と、からなることを特徴とする、臭化リチウム水溶液の臭化リチウム濃度測定システム。
（１５）  臭化リチウム水溶液の温度を温度計により測定する温度測定過程と、臭化リチウム水溶液の静電容量を静電容量計により測定する静電容量測定過程と、該温度測定過程から得られた温度ならびに該静電容量測定過程から得られた静電容量値から水溶液中の臭化リチウム濃度を求める濃度測定過程と、該濃度測定過程から得られた濃度を時間的に比較する濃度比較過程からなることを特徴とする、臭化リチウムの漏れ検出方法。
（１６）  臭化リチウム水溶液の温度を温度計により測定する温度測定過程と、臭化リチウム水溶液のｐＨをｐＨ計により測定するｐＨ測定過程と、該温度測定過程から得られた温度ならびに該ｐＨ測定過程から得られたｐＨから水溶液中の臭化リチウム濃度を求める濃度測定過程と、該濃度測定過程から得られた濃度を時間的に比較する濃度比較過程からなることを特徴とする、臭化リチウムの漏れ検出方法。
（１７）  臭化リチウム水溶液が吸収冷凍機の冷媒であることを特徴とする、（１５）または（１６）に記載の臭化リチウムの漏れ検出方法。
【発明の効果】
【００１６】
本発明の臭化リチウム水溶液の臭化リチウム濃度測定方法および臭化リチウム濃度測定システムは上述のように構成されるため、これによれば、下記の各効果を得ることができる。
（Ａ）上記吸収冷凍機の溶液の静電容量を瞬時に測定できる。
（Ｂ）測定した静電容量値から溶液中の臭化リチウム濃度を求めることができる。
（Ｃ）上記静電容量を測定するために、溶液をサンプリングする必要がない。このため、溶液の消費、サンプリング装置を必要としない。さらに、サンプリングのための測定者を必要としない。
（Ｄ）運転中の吸収冷凍機の溶液濃度が測定できるので、冷水（ブライン）負荷、冷却水負荷、熱源量に応じた制御を行うことができる。すなわち、濃度の測定値に基づいて、冷水流量、冷却水量、熱源量を操作し、当該運転点での効率最大条件に制御できる。
（Ｅ）特に、部分負荷時に効率最大で運転できる。
（Ｆ）多様な冷凍負荷に応じた、冷水（ブライン）温度が得られるよう制御できる。
（Ｇ）冷凍機の運転がオンラインで動的に制御できる。
（Ｈ）本発明は、第一種吸収ヒートポンプ、第二種吸収ヒートポンプにも適用でき、運転を動的に制御できる。
【００１７】
（Ｉ）特に、極めて薄い場合の臭化リチウム濃度についても、リアルタイムで臭化リチウム濃度を把握することができる。
（Ｊ）加えて、臭化リチウム水溶液からの臭化リチウムの漏れを検出することができ、吸収冷凍機の正常な運転を維持できる。
【発明を実施するための最良の形態】
【００１８】
以下、本発明を図面により詳細に説明する。
図１は、臭化リチウム濃度が低濃度域の場合（０〜１．０ｗｔ％）における臭化リチウム水溶液の静電容量と臭化リチウム濃度の関係を示すグラフである。温度は２９３Ｋ、３０３Ｋや３１３Ｋの場合である。図示されるように、臭化リチウム水溶液における臭化リチウム濃度には、一定の静電容量依存性および温度依存性が認められ、したがって、臭化リチウム水溶液の静電容量と温度を測定することにより、臭化リチウム濃度を求めることが可能である。
【００１９】
図２は、本発明の濃度測定方法の構成を示すフロー図である。図において、臭化リチウム水溶液の臭化リチウム濃度測定方法は、温度計と静電容量計の各検出端を測定対象の臭化リチウム水溶液中にセットする測定端セット過程Ｐ１と、ついで、臭化リチウム水溶液の温度を温度計により測定する温度測定過程Ｐ２と、並行して臭化リチウム水溶液の静電容量を静電容量計により測定する静電容量測定過程Ｐ３と、各過程Ｐ２、Ｐ３により得られた測定温度値および静電容量値から水溶液中の臭化リチウム濃度を求める濃度測定過程Ｐ４と、を備えて構成される。さらにこの後に、該濃度測定過程Ｐ４により得られた濃度測定結果を出力するために、出力過程Ｐ５を設けることができる。
【００２０】
図において、該濃度測定過程Ｐ４では、濃度―温度―静電容量間の関係、すなわち濃度―温度―静電容量特性に基づいて、先行する各過程において得られた温度情報および静電容量情報を用いて、濃度情報を得ることができる。
【００２１】
かかる構成により本発明の濃度測定方法によれば、測定端セット過程Ｐ１において温度計と静電容量計の各検出端が測定対象の臭化リチウム水溶液中にセットされ、ついで、温度測定過程Ｐ２では臭化リチウム水溶液の温度が、また、静電容量測定過程Ｐ３では静電容量が測定され、ついで、濃度測定過程Ｐ４において、得られた温度ならびに静電容量値から水溶液中の臭化リチウム濃度が算出され、出力過程Ｐ５において、得られた濃度測定結果が出力される。
【００２２】
本発明はその測定対象を特に、吸収冷凍機の冷媒とすること、分けても濃縮器の凝縮器から出てきた冷媒とすること、あるいはまた、二成分系以上の冷媒とすることができる。
【００２３】
図３は、本発明の臭化リチウム濃度測定システムの基本構成を示すブロック図である。図において本システムは、臭化リチウム水溶液１の温度を温度計により測定する温度測定部２と、臭化リチウム水溶液の静電容量を静電容量計により測定する静電容量測定部３と、該温度測定部２から得られた温度、ならびに該静電容量測定部３から得られた静電容量値から、濃度―温度―静電容量間の関係すなわち濃度―温度―静電容量特性に基づいて、水溶液中の臭化リチウム濃度を求める濃度測定部４と、該濃度測定部４において得られた濃度が出力される出力部５等と、からなることを主たる構成とする。
【００２４】
かかる構成により本システムでは、温度測定部２により臭化リチウム水溶液１の温度が測定され、静電容量測定部３により臭化リチウム水溶液の静電容量が測定され、濃度測定部４により、先に得られた温度ならびに静電容量値から水溶液１の臭化リチウム濃度が算出され、出力部５等により、その測定結果（濃度）が出力される。出力部としては、ディスプレイや記録計が用いられる。
【００２５】
図４は本発明の濃度測定方法の構成例を示すフローである。図示される本発明方法は、図２に示した静電容量による臭化リチウム水溶液の臭化リチウム濃度測定方法と、ｐＨによる臭化リチウム水溶液の臭化リチウム濃度測定方法（特願２００４−０８３５３１参照）を組み合わせたものである。すなわち本方法は、温度計と静電容量計の各検出端を測定対象の臭化リチウム水溶液中にセットする測定端セット過程Ｐ１ａと、ついで、臭化リチウム水溶液の温度を温度計により測定する温度測定過程Ｐ２ｃと、並行して臭化リチウム水溶液の静電容量を静電容量計により測定する静電容量測定過程Ｐ３と、他方、ｐＨ計のもしくはこれに加えて温度計の各検出端を測定対象の臭化リチウム水溶液中にセットする測定端セット過程Ｐ１ｂと、ついで、臭化リチウムの温度を温度計により測定する温度測定過程Ｐ２ｃと、並行して臭化リチウム水溶液のｐＨをｐＨ計により測定するｐＨ測定過程Ｐ６と、該温度測定過程Ｐ２ｃから得られた温度、該ｐＨ測定過程Ｐ６から得られたｐＨ値ならびに該静電容量測定過程Ｐ３から得られた静電容量値から、水溶液中の臭化リチウム濃度を求める濃度測定過程Ｐ４ｃと、を備えて構成される。
【００２６】
さらにこの後に、該濃度測定過程Ｐ４ｃにより得られた濃度測定結果を出力するために、出力過程Ｐ５を設けることができる。該測定端セット過程Ｐ１ａ、Ｐ１ｂは、同一の水溶液系に対する共通の過程の場合も、あるいはまた異なる水溶液系に対する個々別々の過程の場合も、本発明に該当する。
【００２７】
すなわち図４のフローにより、
測定端セット過程Ｐ１ａにおいて温度計と静電容量計の各検出端が測定対象の臭化リチウム水溶液中にセットされ、他方、測定端セット過程Ｐ１ｂにおいてｐＨ計の、もしくはこれに加えて温度計の各検出端が測定対象の臭化リチウム水溶液中にセットされ、ついで、温度測定過程Ｐ２ｃにおいて臭化リチウム水溶液の温度が測定され、並行する静電容量測定過程Ｐ３において臭化リチウム水溶液の静電容量が測定すされ、また、ｐＨ測定過程Ｐ６において臭化リチウム水溶液のｐＨが測定され、濃度測定過程Ｐ４ｃにおいて温度、ｐＨ値ならびに静電容量値に基づき水溶液中の臭化リチウム濃度測定結果が得られる。
【００２８】
図５は、臭化リチウムの濃度が高濃度の場合における、臭化リチウム水溶液のｐＨと臭化リチウム濃度の関係を示すグラフである。図示される濃度―ｐＨ特性から、本発明に係るｐＨによる臭化リチウム水溶液の臭化リチウム濃度測定方法では、下記数式が用いられる。
数式：  ｐＨ＝ａＸ＋ｂＴ＋ｃ
（ａ、ｂおよびｃは０以外の数。Ｘは濃度。Ｔは絶対温度。)
あるいはまた、
数式：ｐＨ＝−０．１２Ｘ−０．０１７Ｔ＋１８．８
（Ｘは濃度。Ｔは絶対温度。）
これらの関係式では無論、調製剤の種類、濃度等により係数が異なる可能性がある。
【００２９】
図６は、本発明の臭化リチウム濃度測定システムの基本構成を示すブロック図である。図において本システムは、臭化リチウム水溶液の温度を温度計より測定する温度測定部２と、臭化リチウム水溶液のｐＨをｐＨ計により測定するｐＨ測定部７と、臭化リチウム水溶液の静電容量を静電容量計により測定する静電容量測定部３と、該温度測定部２から得られた温度、ならびに該ｐＨ測定部７から得られたｐＨ値から、濃度―温度―ｐＨ間の関係すなわち濃度―温度―ｐＨ特性に基づいて、水溶液中の臭化リチウム濃度を求める濃度測定部８と、該温度測定部２から得られた温度、ならびに該静電容量部３から得られた静電容量から、濃度―温度―静電容量間の関係すなわち濃度―温度―静電容量特性に基づいて、水溶液中の臭化リチウム濃度を求める濃度測定部４と、該濃度測定部４、８において得られた濃度が出力される出力部５等と、からなることを主たる構成とする。
【００３０】
図示するように本システムでは、異なる臭化リチウム水溶液１、１’について、濃度―温度―静電容量特性に基づく濃度測定モード、または濃度―温度―ｐＨ特性に基づく濃度測定モードのいずれか適したモードをそれぞれ適用して、臭化リチウム濃度測定を行うことができる。したがって、濃度の極めて薄い冷媒（１）については前者を、吸収液（１’）については後者を、並行して適用し、それぞれより正確な濃度測定結果を得ることができる。
【実施例】
【００３１】
以下、実施例により本発明を説明するが、本発明はかかる実施例により限定されるものではない。
再度、図２（フロー図）および図３（システムのブロック図）を用いて説明する。本発明の濃度測定方法では、前記温度測定部２においてなされる前記温度測定過程Ｐ２、並行的に、静電容量測定部３においてなされる静電容量測定過程Ｐ３、ついで、これらの過程に基づき前記濃度測定部４においてなされる濃度測定過程Ｐ４を経ることによって、臭化リチウム水溶液１中の臭化リチウム濃度が測定され、その結果は前記出力部５（ディスプレイ）および６（記録計）により出力される。
【００３２】
温度測定過程Ｐ２では、臭化リチウム水溶液１の温度を測定する過程で臭化リチウム水溶液１中に設置した温度検出端を介して温度を計測し、その信号を後段の濃度を求める過程Ｐ４に伝えるものである。静電容量測定過程Ｐ３は臭化リチウム水溶液１の静電容量を測定する過程で臭化リチウム水溶液１中に設置した静電容量検出端を介して静電容量を計測し、その信号を後段の濃度を求める過程Ｐ４に伝えるものである。
【００３３】
濃度測定過程Ｐ４は、温度測定過程Ｐ２からの温度情報と静電容量測定過程Ｐ３からの静電容量情報から、濃度を求める過程である。図１に示したように、濃度―温度―静電容量特性から温度情報および静電容量情報を用いて濃度を求める。ディスプレイ５は濃度測定過程Ｐ４で求めた濃度を表示するものであり、記録計６は濃度測定過程Ｐ４で求めた濃度を記録するものである。
【産業上の利用可能性】
【００３４】
本発明の臭化リチウム水溶液の臭化リチウム濃度測定方法および臭化リチウム濃度測定システムによれば、水溶液濃度が極めて低い場合であっても、大気圧以外の系にあっても、リアルタイムで臭化リチウム濃度を把握することができる。吸収冷凍機においては、サンプリングすることなく溶液濃度のリアルタイムかつ簡易な方法による把握が可能となり、多様な運転制御が可能となり、利用価値が極めて高い発明である。
【図面の簡単な説明】
【００３５】
【図１】臭化リチウム濃度が低濃度の場合における、臭化リチウム水溶液の静電容量と臭化リチウム濃度の関係を示すグラフである。
【図２】本発明の濃度測定方法の構成を示すフロー図である。
【図３】本発明の臭化リチウム濃度測定システムの基本構成を示すブロック図である。
【図４】本発明の濃度測定方法の構成を示すフロー図である。
【図５】臭化リチウムの濃度が高濃度の場合における、臭化リチウム水溶液のｐＨと臭化リチウム濃度の関係を示すグラフである。
【図６】本発明の臭化リチウム濃度測定システムの基本構成を示すブロック図である。
【符号の説明】
【００３６】
１、１’…臭化リチウム水溶液        
２…温度測定部
３…静電容量測定部
４…濃度測定部
５…出力部（ディスプレイ）
６…出力部（記録部）
７…ｐＨ測定部
８…濃度測定部
Ｐ１、Ｐ１ａ、Ｐ１ｂ…測定端セット過程
Ｐ２、Ｐ２ｃ…温度測定過程
Ｐ３…静電容量過程
Ｐ４、Ｐ４ｃ…濃度測定過程
Ｐ５…出力過程
Ｐ６…ｐＨ測定過程
【図１】
2006258345.tif 000003
【図２】
2006258345.tif 000004
【図３】
2006258345.tif 000005
【図４】
2006258345.tif 000006
【図５】
2006258345.tif 000007
【図６】
2006258345.tif 000008